(57)【要約】 【課題】ビデオカメラからの色温度情報に基づいてビデオ撮影用照明の色温度を制御でき、ビデオカメラがホワイトバランスを設定している間だけビデオ撮影用照明をOFFにする制御を提供する。ビデオ照明で設定したホワイトバランスがビデオ照明の色温度設定をもとにビデオカメラの色温度の制御を行うことを提供する。照明の発光部内でセンサーを設けて色温度を監視し補正することを提供する。【解決手段】本発明によれば、ビデオ撮影用照明とビデオカメラの両機器に両機器間の制御を行うための通信手段を設け、通信を用いることによってビデオカメラからの色温度情報に基づいてビデオ撮影用照明のLED発光部においてカメラが感じた色温度を再現することを提供される。【選択図】図１
2018013592.tif 000002
【特許請求の範囲】
【請求項１】
通信手段を通じてビデオカメラと通信可能なビデオ撮影用照明であって、
前記通信手段を用いることによってビデオカメラから取得した色温度情報に基づいてビデオ撮影用照明の色温度を制御することを特徴とするビデオ撮影用照明。
【請求項２】
前記通信手段を用いることによって、前記ビデオカメラがホワイトバランスを設定している間だけビデオ撮影用照明をOFFにする制御を行うことを特徴とする請求項１に記載のビデオ撮影用照明。
【請求項３】
照明の発光部内でセンサーを設けて色温度を監視し自己の色温度の校正機能を有するため、色の異なったLEDの発光量制御を行うことを特徴とする請求項１又は請求項２に記載のビデオ撮影用照明。
【請求項４】
照明の制御部にシーンモードを設け備えていることを特徴とする請求項１〜請求項３の何れか１つに記載のビデオ撮影用照明。
【請求項５】
照明の制御部にシーンモードを設け、花火モードを備えていることを特徴とする請求項１〜請求項４の何れか１つに記載のビデオ撮影用照明。
【請求項６】
照明の制御部色温度記憶モードを設け、前記カメラからの情報をもとに再現された色温度を記憶して、その記憶された色温度を再現するためのスイッチを有することを特徴とする請求項１〜請求項５の何れか１つに記載のビデオ撮影用照明。
【請求項７】
前記ビデオカメラからの色温度情報に基づく色温度で表現される色をHUEボリウムにて補正が可能な請求項１〜６の何れか１つに記載のビデオビデオ撮影用照明。
【請求項８】
前記ビデオカメラからの色温度情報に基づく色温度で表現される色を、R／G／Bボリウムにて補正が可能な請求項１〜７の何れか１つに記載のビデオ撮影用照明。
【請求項９】
ビデオカメラと、通信手段を通じて前記ビデオカメラと通信可能なビデオ撮影用照明を備えるシステムであって、
前記ビデオ撮影用照明は、請求項１〜請求項８の何れか１つに記載のビデオ撮影用照明であり、
前記ビデオカメラは、前記通信手段を用いることによってビデオ撮影用照明で設定した色温度設定をもとに前記ビデオカメラの色温度の制御を行うことを特徴とする、システム。
【発明の詳細な説明】
【技術分野】
【０００１】
本発明は、LEDを搭載したビデオ撮影用照明のビデオカメラによる制御手段とその制御を搭載するビデオ撮影用照明に関するものである。
【背景技術】
【０００２】
ビデオ撮影ではホワイトバランスを白い紙やグレースケールなどを使用して設定するのが一般的である。カメラのオートホワイトバランスが進化しても、微妙な光の変化に追従してしまうため、色味がカメラの角度により変わることが多く、多くのテレビ撮影では今なおマニュアルでホワイトバランスを白い紙やグレースケールを使用して設定することが多い。その際、放送用カメラの多くはビューファインダーにホワイトバランスが設定された色温度が表示される。カメラマンはその表示された色温度の情報や長年の経験によりビデオ照明に色のついたフィルターを装着することがある。特に室内の撮影は従来室内にはタングステン光が多く、黄色い色のタングステン光色をしたハロゲンタイプの照明が大半をしめていた。少し外光が入るところで撮影すると照明があたっている所とあたっていない所では大きく色味が変わっていた。光の状況によって、ビデオ照明にブルーのフィルター等をかけておおまかな色を近づけて撮影してるにすぎなかった。フィルターの種類が限られており、ビデオ撮影用照明と被写体までの距離が変わり、色味が変化していた。また、ビデオカメラの本体にビデオ撮影用照明の電源端子が備え付けられているものが多く、そこへビデオ照明を取り付け、ビデオカメラからビデオ照明ヘの電源供給をＯＮ、ＯＦＦ制御することにより、ビデオ照明の点灯、消灯を制御しているが、ビデオカメラは撮影時に点灯、撮影スタンバイ時に消灯という制御を行っているだけである。
【０００３】
又、上記構成以外ではビデオ撮影用照明本体に備え付けられているスイッチをユーザーが操作し、点灯、消灯を行うものだけである。電源はビデオカメラから供給される場合と、照明本体へ入力される場合との２種類がある。
【発明の概要】
【発明が解決しようとする課題】
【０００４】
しかしながら、上記従来例では、ビデオカメラによるビデオ撮影用照明の制御は単純に撮影時、撮影スタンバイ時への変更に伴って電源のＯＮ、ＯＦＦを行うだけのものであり、撮影状況に応じて撮影時にビデオ撮影用照明の色フィルター使用、不使用の判断及び設定操作は撮影者の判断に委ねられており、これは撮影者の手を煩わせるものである。また、花火のシーンの再現撮影では、出演者の部分をスタジオ内で撮影する場合や本当の花火がない屋外での撮影が多く、花火の急激な色変化を通常の照明装置で再現することが非常に難しい。
【０００５】
現在市販されている照明を使えば、照明の点灯、消灯、色温度変更は色温度フィルターをつけるしかなく、カメラと同じ色温度を再現するのが容易では無かった。
【０００６】
本発明は上記問題に鑑みてなされたもので、その目的とする処は、ビデオカメラ側からホワイトバランスを取る際にカメラで色温度を認識した値を自動でビデオ撮影用照明を制御し、カメラでホワイトバランスを設定し、設定された数値と同じような色温度を発光することによって撮影者の操作負荷を低減することができるビデオ撮影用照明制御手段、及びビデオ撮影用照明を提供するとともにビデオ撮影用照明を使用していて照らしている部分とそうでない部分が自然に撮影できることにある。それと、あらかじめビデオ撮影用照明に記憶されたシーンを再現することにより、簡単に夕日の感じを出した照明や、花火の高速で変わりながら色が変化するライティングを容易に作ることができるビデオ撮影用照明を提供するものである。
【課題を解決するための手段】
【０００７】
上記目的を達成するため、本発明は、通信手段を通じてビデオカメラと通信可能なビデオ撮影用照明であって、前記通信手段を用いることによってビデオカメラから取得した色温度情報に基づいてビデオ撮影用照明の色温度を制御することを特徴とするビデオ撮影用照明を提供する。
【０００８】
好ましくは、ビデオ撮影用照明とビデオカメラの両機器に両機器間の制御を行うための通信手段を設け、該通信手段を用いることによってビデオカメラからの色温度情報に基づいてビデオ撮影用照明のLED発光部の色を制御し、カメラが認識した色温度に近い発光をするビデオ撮影用照明制御が提供される。
【０００９】
本発明によれば、ビデオカメラでホワイトバランスをカメラがとっている間だけ、ビデオカメラに接続されたビデオ撮影用照明電源をOFFにする回路が働き、照明が点灯してない状態のホワイトバランスを取ることが容易にできる。
【００１０】
本発明によれば、自己の色温度が適正かを監視する機能が提供される。
【００１１】
本発明によれば、照明の発光部内でセンサーを設けて色温度を監視し補正する機能を有することを提供し、自己の色温度をあらかじめ照明内部のマイコンと照明の発光部内でセンサーを設けて色温度を測定したものを比較し、発光部のR/G/B/WHITE等の、色の異なったLEDの発光量制御を行う機能が提供される。
【００１２】
本発明によれば、照明の制御部にシーンモードを設け、花火モードを備えていることを提供される。
【００１３】
本発明によれば、照明の制御部にシーンモードを設け、例えば夕焼けモード、を備えていることを提供される。
【００１４】
本発明によれば、照明の制御部色温度記憶モードを設け、カメラからの情報をもとに再現された色温度を記憶して、その記憶された色温度を再現する制御が構成される。
【００１５】
本発明によれば、ビデオ撮影用照明とビデオカメラの両機器に両機器間の制御を行うための通信手段を設け、通信手段を用いることによってビデオカメラからの色温度情報に基づいてビデオ撮影用照明の色温度を制御された請求項１で実現された色温度に、HUEモードにて色が足されることにより補正がされ、肌色の微妙な赤み等を色補正する制御が構成される。
【発明の効果】
【００１６】
以上の説明で明らかなように、本発明によれば、ビデオ撮影用照明とビデオカメラの両機器に両機器間の制御を行うための通信手段を設け、通信を用いることによってビデオカメラからの色温度情報に基づいてビデオ撮影用照明のLED発光部をカメラが感じた色温度を再現するため、自然な映像を撮影することができるという効果が得られる。
【図面の簡単な説明】
【００１７】
【図１】本発明に係るビデオ撮影用照明制御手段の構成を示すブロック図である。
【図２】本発明の実施の形態１に係るビデオ撮影用照明制御手段の動作フローチャートである。
【図３】撮影用照明の操作部の例を示す。
【発明の実施の形態】
【００１８】
以下に本発明の実施の形態を添付図面に基づいて説明する。
【００１９】
図１は本発明に係るビデオ撮影用照明制御手段の構成を示すブロック図である。
【００２０】
図１に示すビデオカメラAAからビデオ撮影用照明BBへのコントロールには、ビデオカメラAAとビデオ撮影用照明BBをビデオカメラ本体に繋ぐビデオ撮影用照明端子部に備え付けられた通信端子１２が用いられる。
【００２１】
ビデオカメラAA側の通信処理はビデオ撮影用照明BBに搭載されたマイクロコンピュータ１５が受け持ち、ビデオカメラAAのマイクロコンピュータ２２からの色温度の制御命令に従った照明コントロールを行ったり、ビデオ撮影用照明BBの電圧やランプ１２の状態を監視し、ビデオカメラAAのマイクロコンピュータ２２からの要求に応じてビデオ撮影用照明BB側の状態を送信する等の処理を行う。
【００２２】
図２にビデオカメラAAのビデオ撮影用照明制御における一連の制御フローチャートを示す。
【００２３】
ビデオカメラAAの制御用マイクロコンピュータ２２はビデオ撮影用照明BBがビデオカメラAAに装着されビデオカメラAAから現在AAの２２制御用マイクロコンピュータが記憶している色温度をビデオ照明BBが受取り、ビデオ撮影用照明BBの制御用マイクロコンピュータでLEDの色の強さを制御して色温度を制御する。
【００２４】
ビデオカメラAAで、ホワイトバランスを２０５により手動で取り直した際、ビデオ照明BBが装着されていれば、２０８ホワイトバランス設定中は２０９により２０２に照明OFFの指令が出され、ビデオカメラAAのホワイトバランスを設定が終わるまでビデオ撮影照明発光部を消灯制御する。その際、AAカメラから照明用電源が出力されているカメラはビデオカメラAA側ビデオ撮影用照明電源の出力を遮断制御してもよい。
【００２５】
２０６ホワイトバランス設定終了状態情報により、ビデオカメラ２０７色温度設定終了命令をビデオ撮影用照明２０２へ指令が渡り、カメラの色温度の情報を反映してビデオ撮影用照明が点灯する、 その際、AAカメラからビデオ撮影用照明用電源が出力されているカメラはビデオカメラAA側ビデオ撮影用照明電源の出力１３を遮断制御してもよい。ホワイトバランスが設定終了すると２０８より指令が２０２に行き２０１を制御し発光し色温度を発光してそこで処理は終了する。
【００２６】
ビデオ撮影用照明BBの点灯中はその色温度が正確に制御されているかを自己監視するセンサー２０４により監視しLED発光部の発光部の色補正の必要があるか否かを判断する。
【００２７】
再びホワイトバランス情報がくれば処理が再度実行さてホワイトバランスに応じた色温度が発光される。
【００２８】
図３に示す撮影用照明の操作部の例であるが、３０９色温度シーンモード切替スイッチでビデオを マニュアルで2000K〜10000K（範囲が変わる場合もある）で指定して色温度を出すことができ、調光ボリウムで光の明るさを制御できる。カメラスレーブモードではカメラ側から色温度が設定された場合にカメラの色温度が反映される。マニュアルモードで設定されていても、カメラからの色温度設定値がきた場合はそれを優先してカメラと連動してもよい。
【００２９】
図３の３０２記憶／実行ボタン１、３０３記憶／実行ボタン２、３０４シフト記憶／解除ボタンは、３０４シフト記憶／解除ボタンを押しながら３０２記憶／実行ボタン１を押すと状態が記憶され、３０２記憶／実行ボタン１だけを押すと実行されその色温度が再現される。記憶されている状態で３０４シフト記憶／解除ボタンを押して３０２記憶／実行ボタン１を押すと解除される。個々に記憶ボタン、実行ボタン、解除ボタンを設けてもよい。また、ボタンを長押しして記憶してもよいし、長押しして解除してもよい。記憶する方法は表示部にタッチバネル等で記憶してもよい。３０５HUEは3原色の色を１軸のボリウムで調整でき、３０６調光ボリウムでは明るさ、３０７色選択スイッチではRED/GREEN/BLUE/HUEを選択でき、３０９色温度シーンモード切替スイッチでマニュアルで設定した色から３０７色選択スイッチではRED/GREEN/BLUE/HUEを選択した色を３０６調光ボリウムで任意に色を足すことができる。
【符号の説明】
【００３０】
BB      ビデオ撮影用照明
１１   制御用通信線
１２     LED照明発光部
１３   照明電源出力端子
１４    R/G/B/WHITE電源／制御回路
１５    制御用マイクロコンピュータ
AA      ビデオカメラ
２１   CCD
２２     制御用マイクロコンピュータ
２３    カメラレンズ
２４    電源
２５    ホワイトバランス設定スイッチ
２０１  ビデオ撮影照明発光
２０２  カメラからの色温度情報受取り
２０３  カメラの録画スタート又は手動にて照明点灯部（スイッチにより）
２０４  発光部監視色温度センサー
２０５  カメラホワイトバランス設定
２０６  前回等の色温度を覚えている場合
２０７  ビデオ撮影照明へ点灯色温度の設定指令
２０８  設定中
２０９  ビデオ照明消灯命令送信
２１０  撮影スタート
CC       照明操作バネル
【図１】
2018013592.tif 000003
【図２】
2018013592.tif 000004
【図３】
2018013592.tif 000005
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
通信手段を通じてビデオカメラと通信可能なビデオ撮影用照明であって、
前記通信手段を用いることによってビデオカメラから取得した色温度情報に基づいてビデオ撮影用照明の色温度を制御することを特徴とするビデオ撮影用照明。
【請求項２】
前記通信手段を用いることによって、前記ビデオカメラがホワイトバランスを設定している間だけビデオ撮影用照明をOFFにする制御を行うことを特徴とする請求項１に記載のビデオ撮影用照明。
【請求項３】
照明の発光部内でセンサーを設けて色温度を監視し自己の色温度の校正機能を有するため、色の異なったLEDの発光量制御を行うことを特徴とする請求項１又は請求項２に記載のビデオ撮影用照明。
【請求項４】
照明の制御部にシーンモードを設け備えていることを特徴とする請求項１〜請求項３の何れか１つに記載のビデオ撮影用照明。
【請求項５】
照明の制御部にシーンモードを設け、花火モードを備えていることを特徴とする請求項１〜請求項４の何れか１つに記載のビデオ撮影用照明。
【請求項６】
照明の制御部に色温度記憶モードを設け、前記カメラからの情報をもとに再現された色温度を記憶して、その記憶された色温度を再現するためのスイッチを有することを特徴とする請求項１〜請求項５の何れか１つに記載のビデオ撮影用照明。
【請求項７】
前記ビデオカメラからの色温度情報に基づく色温度で表現される色をHUEボリウムにて補正が可能な請求項１〜６の何れか１つに記載のビデオビデオ撮影用照明。
【請求項８】
前記ビデオカメラからの色温度情報に基づく色温度で表現される色を、R／G／Bボリウムにて補正が可能な請求項１〜７の何れか１つに記載のビデオ撮影用照明。
【請求項９】
ビデオカメラと、通信手段を通じて前記ビデオカメラと通信可能なビデオ撮影用照明を備えるシステムであって、
前記ビデオ撮影用照明は、請求項１〜請求項８の何れか１つに記載のビデオ撮影用照明であり、
前記ビデオカメラは、前記通信手段を用いることによってビデオ撮影用照明で設定した色温度設定をもとに前記ビデオカメラの色温度の制御を行うことを特徴とする、システム。
【手続補正２】
【補正対象書類名】明細書
【補正対象項目名】００１４
【補正方法】変更
【補正の内容】
【００１４】
本発明によれば、照明の制御部に色温度記憶モードを設け、カメラからの情報をもとに再現された色温度を記憶して、その記憶された色温度を再現する制御が構成される。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
通信手段を通じてビデオカメラと通信可能なビデオ撮影用照明であって、
前記通信手段を用いることによってビデオカメラから取得した色温度情報に基づいてビデオ撮影用照明の色温度を制御し、
前記照明の発光部内でセンサーを設けて色温度を監視し、前記照明の点灯中に自己の色温度を校正する機能を有することを特徴とするビデオ撮影用照明。
【請求項２】
前記通信手段を用いることによって、前記ビデオカメラがホワイトバランスを設定している間だけビデオ撮影用照明をOFFにする制御を行うことを特徴とする請求項１に記載のビデオ撮影用照明。
【請求項３】
色の異なったLEDの発光量制御を行うことを特徴とする請求項１又は請求項２に記載のビデオ撮影用照明。
【請求項４】
照明の制御部にシーンモードを設け備えていることを特徴とする請求項１〜請求項３の何れか１つに記載のビデオ撮影用照明。
【請求項５】
照明の制御部にシーンモードを設け、花火モードを備えていることを特徴とする請求項１〜請求項４の何れか１つに記載のビデオ撮影用照明。
【請求項６】
照明の制御部に色温度記憶モードを設け、前記カメラからの情報をもとに再現された色温度を記憶して、その記憶された色温度を再現するためのスイッチを有することを特徴とする請求項１〜請求項５の何れか１つに記載のビデオ撮影用照明。
【請求項７】
前記ビデオカメラからの色温度情報に基づく色温度で表現される色をHUEボリウムにて補正が可能な請求項１〜６の何れか１つに記載のビデオビデオ撮影用照明。
【請求項８】
前記ビデオカメラからの色温度情報に基づく色温度で表現される色を、R／G／Bボリウムにて補正が可能な請求項１〜７の何れか１つに記載のビデオ撮影用照明。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
通信手段を通じてビデオカメラと通信可能なビデオ撮影用照明であって，
前記通信手段を用いることによってビデオカメラから取得した色温度情報に基づいて発光部が発する光の色を制御し，
前記発光部内にセンサーを設け，前記センサーによって照明の点灯中に発光部が発する光の色を監視し，当該光の色を校正する機能を有するとともに，
色温度シーンモード切替スイッチを有しており，当該色温度シーンモード切替スイッチによりシーンモードに設定されると，予め記憶された情報に基づいて発光部が発する光の色を制御することを特徴とするビデオ撮影用照明。
【請求項２】
前記シーンモードとして，花火モードを備えていることを特徴とする請求項１に記載のビデオ撮影用照明。
【請求項３】
通信手段を通じてビデオカメラと通信可能なビデオ撮影用照明であって，
前記通信手段を用いることによってビデオカメラから取得した色温度情報に基づいて発光部が発する光の色を制御し，
前記発光部内にセンサーを設け，前記センサーによって照明の点灯中に発光部が発する光の色を監視し，当該光の色を校正する機能を有するとともに，
前記カメラから取得した色温度情報に基づいて制御された発光部が発する光の色を記憶することを指示するための手段と，色温度記憶モードを設定するための手段とを有し，色温度記憶モードに設定されると，前記記憶された光の色を再現するように発光部が発する光の色を制御することを特徴とするビデオ撮影用照明。
【請求項４】
通信手段を通じてビデオカメラと通信可能なビデオ撮影用照明であって，
前記通信手段を用いることによってビデオカメラから取得した色温度情報に基づいて発光部が発する光の色を制御し，
前記発光部内にセンサーを設け，前記センサーによって照明の点灯中に発光部が発する光の色を監視し，当該光の色を校正する機能を有するとともに，
HUEボリウムを有し，前記ビデオカメラから取得した色温度情報に基づいて制御された発光部が発する光の色を，前記HUEボリウムを操作することによって調整できるよう構成されていることを特徴とするビデオ撮影用照明。
【請求項５】
通信手段を通じてビデオカメラと通信可能なビデオ撮影用照明であって，
前記通信手段を用いることによってビデオカメラから取得した色温度情報に基づいて発光部が発する光の色を制御し，
前記発光部内にセンサーを設け，前記センサーによって照明の点灯中に発光部が発する光の色を監視し，当該光の色を校正する機能を有するとともに，
３原色のいずれかを選択するためのR／G／Bボリウムと，前記R／G／Bボリウムで選択した色を調整するための調光ボリウムとを有し，前記ビデオカメラから取得した色温度情報に基づいて制御された発光部が発する光の色を，前記R／G／Bボリウム及び調光ボリウムを操作することによって調整できるよう構成されていることを特徴とするビデオ撮影用照明。
【請求項６】
前記発光部が色の異なったLEDを有しており，当該色の異なったLEDの発光量制御を行うことによって前記発光部が発する光の色の制御を行うことを特徴とする請求項１〜請求項５の何れか１つに記載のビデオ撮影用照明。